【手続補正書】
【提出日】平成25年4月5日(2013.4.5)
【手続補正１】
【補正対象書類名】明細書
【補正対象項目名】００１１
【補正方法】変更
【補正の内容】
【００１１】
（１）本発明の一態様による端末装置は、基地局装置と通信する端末装置であって、前記端末装置が前記基地局装置にフィードバックするプレコーディング行列を示すＰＭＩを規定するコードブックが、伝送路状況測定用参照信号のアンテナポート数に応じて予め複数規定されており、アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する。
【手続補正２】
【補正対象書類名】明細書
【補正対象項目名】００１２
【補正方法】変更
【補正の内容】
【００１２】
（２）また、本発明の一態様による端末装置は上記端末装置であって、前記特定のアンテナポート数は８である。
【手続補正３】
【補正対象書類名】明細書
【補正対象項目名】００１３
【補正方法】変更
【補正の内容】
【００１３】
（３）また、本発明の一態様による端末装置は上記端末装置であって、前記特定のアンテナポート数のみに対して規定されたコードブックは、前記基地局から設定される送信モードのうち、特定の送信モードが設定された場合のみ用いられる。
【手続補正４】
【補正対象書類名】明細書
【補正対象項目名】００１４
【補正方法】変更
【補正の内容】
【００１４】
（４）また、本発明の一態様による端末装置は上記端末装置であって、前記特定の送信モードは、情報データ信号が最大８レイヤー送信の送信方式である。
【手続補正５】
【補正対象書類名】明細書
【補正対象項目名】００１５
【補正方法】変更
【補正の内容】
【００１５】
（５）また、本発明の一態様による端末装置は上記端末装置であって、前記特定のアンテナポート数に対して規定される伝送路状況測定用参照信号は、前記基地局装置および前記端末装置との間で互いに既知の信号を用いて、アンテナポート間で符号分割多重および周波数分割多重される。
【手続補正６】
【補正対象書類名】明細書
【補正対象項目名】００１６
【補正方法】変更
【補正の内容】
【００１６】
（６）また、本発明の一態様による基地局装置は、端末装置と通信する基地局装置であって、前記端末装置が前記基地局装置にフィードバックするプレコーディング行列を示すＰＭＩを規定するコードブックが、伝送路状況測定用参照信号のアンテナポート数に応じて予め複数規定されており、前記端末装置に対して、前記端末装置のケイパビリティを示す移動端末ケイパビリティ情報を前記基地局装置に通知するように指示し、前記端末装置が前記指示に基づいて通知する移動端末ケイパビリティ情報を受信し、前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む。
【手続補正７】
【補正対象書類名】明細書
【補正対象項目名】００１７
【補正方法】変更
【補正の内容】
【００１７】
（７）また、本発明の一態様による通信システムは、基地局装置と端末装置が通信する通信システムであって、前記端末装置が前記基地局装置にフィードバックするプレコーディング行列を示すＰＭＩを規定するコードブックが、伝送路状況測定用参照信号のアンテナポート数に応じて予め複数規定されており、前記基地局装置は、前記端末装置に対して、前記端末装置のケイパビリティを示す移動端末ケイパビリティ情報を前記基地局装置に通知するように指示し、前記端末装置は、前記指示に基づき、アンテナポート数に応じて設定される複数の伝送路状況測定用参照信号のうちで、特定のアンテナポート数のみに対して規定されたコードブックに対応する伝送路状況測定用参照信号をサポートしているかを、前記移動端末ケイパビリティ情報を用いて、前記基地局装置に通知する。
【手続補正８】
【補正対象書類名】明細書
【補正対象項目名】００１８
【補正方法】変更
【補正の内容】
【００１８】
（８）また、本発明の一態様による通信方法は、基地局装置と通信する端末装置の通信方法であって、前記端末装置が前記基地局装置にフィードバックするプレコーディング行列を示すＰＭＩを規定するコードブックが、伝送路状況測定用参照信号のアンテナポート数に応じて予め複数規定されており、アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する。
【手続補正９】
【補正対象書類名】明細書
【補正対象項目名】００１９
【補正方法】変更
【補正の内容】
【００１９】
（９）また、本発明の一態様による通信方法は、端末装置と通信する基地局装置の通信方法であって、前記端末装置が前記基地局装置にフィードバックするプレコーディング行列を示すＰＭＩを規定するコードブックが、伝送路状況測定用参照信号のアンテナポート数に応じて予め複数規定されており、前記端末装置に対して、前記端末装置のケイパビリティを示す移動端末ケイパビリティ情報を前記基地局装置に通知するように指示し、前記端末装置が前記指示に基づいて通知する移動端末ケイパビリティ情報を受信し、前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む。
【手続補正１０】
【補正対象書類名】特許請求の範囲
【補正対象項目名】全文
【補正方法】変更
【補正の内容】
【特許請求の範囲】
【請求項１】
基地局装置と通信する端末装置であって、
前記端末装置が前記基地局装置にフィードバックするプレコーディング行列を示すＰＭＩを規定するコードブックが、伝送路状況測定用参照信号のアンテナポート数に応じて予め複数規定されており、
アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する、端末装置。
【請求項２】
前記特定のアンテナポート数は８である、請求項１に記載の端末装置。
【請求項３】
前記特定のアンテナポート数のみに対して規定されたコードブックは、前記基地局から設定される送信モードのうち、特定の送信モードが設定された場合のみ用いられる、請求項１または２に記載の端末装置。
【請求項４】
前記特定の送信モードは、情報データ信号が最大８レイヤー送信の送信方式である、請求項３に記載の端末装置。
【請求項５】
前記特定のアンテナポート数に対して規定される伝送路状況測定用参照信号は、前記基地局装置および前記端末装置との間で互いに既知の信号を用いて、アンテナポート間で符号分割多重および周波数分割多重される、請求項１から４のいずれか１項に記載の端末装置。
【請求項６】
端末装置と通信する基地局装置であって、
前記端末装置が前記基地局装置にフィードバックするプレコーディング行列を示すＰＭＩを規定するコードブックが、伝送路状況測定用参照信号のアンテナポート数に応じて予め複数規定されており、
前記端末装置に対して、前記端末装置のケイパビリティを示す移動端末ケイパビリティ情報を前記基地局装置に通知するように指示し、
前記端末装置が前記指示に基づいて通知する移動端末ケイパビリティ情報を受信し、
前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む、基地局装置。
【請求項７】
基地局装置と端末装置が通信する通信システムであって、
前記端末装置が前記基地局装置にフィードバックするプレコーディング行列を示すＰＭＩを規定するコードブックが、伝送路状況測定用参照信号のアンテナポート数に応じて予め複数規定されており、
前記基地局装置は、
前記端末装置に対して、前記端末装置のケイパビリティを示す移動端末ケイパビリティ情報を前記基地局装置に通知するように指示し、
前記端末装置は、
前記指示に基づき、アンテナポート数に応じて設定される複数の伝送路状況測定用参照信号のうちで、特定のアンテナポート数のみに対して規定されたコードブックに対応する伝送路状況測定用参照信号をサポートしているかを、前記移動端末ケイパビリティ情報を用いて、前記基地局装置に通知する、通信システム。
【請求項８】
基地局装置と通信する端末装置の通信方法であって、
前記端末装置が前記基地局装置にフィードバックするプレコーディング行列を示すＰＭＩを規定するコードブックが、伝送路状況測定用参照信号のアンテナポート数に応じて予め複数規定されており、
アンテナポート数に応じて設定される複数の伝送路状況測定用参照信号のうちで、特定のアンテナポート数のみに対して規定されたコードブックに対応する伝送路状況測定用参照信号をサポートしているかを、前記端末装置のケイパビリティを示す移動端末ケイパビリティ情報を用いて、前記基地局装置に通知する、通信方法。
【請求項９】
端末装置と通信する基地局装置の通信方法であって、
前記端末装置が前記基地局装置にフィードバックするプレコーディング行列を示すＰＭＩを規定するコードブックが、伝送路状況測定用参照信号のアンテナポート数に応じて予め複数規定されており、
前記端末装置に対して、前記端末装置のケイパビリティを示す移動端末ケイパビリティ情報を前記基地局装置に通知するように指示し、
前記端末装置が前記指示に基づいて通知する移動端末ケイパビリティ情報を受信し、
前記移動端末ケイパビリティ情報は、アンテナポート数に応じて設定される複数の伝送路状況測定用参照信号のうちで、特定のアンテナポート数のみに対して規定されたコードブックに対応する伝送路状況測定用参照信号をサポートしているかを含む、通信方法。